(57)【要約】【課題】  上水管の内壁に付着した汚れ、ヌメリ、スケール等を洗浄除去時に、複雑高価或いは大規模な装置や設備を使用敷設することなく、少人数の作業員で短時間に安価で実施できる上水管洗浄システムの提供を実現する。【解決手段】  予め水槽内で所要濃度と適量の洗浄液を作製し、これを上水管内に充填し所要時間をかけて拡散浸潤浸透させ、洗浄部位範囲に応じて所望の給水管末端等から、逆流防止弁付の分配機の出力口を通じ所要圧力と速度の圧搾空気泡沫を所要時間に亘り注入し浮上送出させることで、上水管内壁に付着した汚れ等を溶解溶融、遊離剥離して、最後に給水管末端等からこの汚れ等を溶解混合包含した排水を流放出することで、短時間に安価でありながら上水管の寿命延長等と安全衛生面向上に画期的な耐久性を実現する上水管洗浄システムに係る上水管洗浄装置と方法。【選択図】図１
2008136991.tif 000002
【特許請求の範囲】
【請求項１】
所要の圧力と速度の圧搾空気を発生出力する空気圧縮機の圧搾空気出力を入力とし、仕切り弁、逆流防止弁及び圧力計を備えた複数の出力口を有しこれら全出力口に均等圧力の圧搾空気を供給出力する均等圧搾空気分配機であって、この出力を気密耐水耐圧性の接続ホースにより給水管末端等に接続して圧搾空気の泡沫を上水管内に注入浮上させることにより上水管内壁を洗浄する上水管洗浄システムを構成することを特徴とする上水管洗浄装置。
【請求項２】
請求項１において、予め作製した所要濃度と適量の洗浄液を上水管内に充填した後、所要時間放置することで洗浄溶液を拡散浸潤浸透させ、後に給水管末端等から圧搾空気の泡沫を注入し浮上送出させることを特徴とする請求項１記載の上水管洗浄システムに係る上水管洗浄方法。
【請求項３】
請求項１において、圧搾空気の泡沫を注入送出する給水管末端等の位置を適宜選択することにより、洗浄対象部位範囲を仕切り弁の開閉操作のみで、共用部或いは専有部と任意選択指定できることを特徴とする請求項１記載の上水管洗浄システムに係る上水管洗浄方法。
【発明の詳細な説明】
【技術分野】
【０００１】  この発明は、マンション等建造物上水道の、共用部たる給水縦主管、給水横主管、複数の給水縦系統管、揚水管及び専有部においては給水枝管（以下、単に上水管と総称する）の上水管洗浄システムに係る上水管洗浄装置と方法に関する。
【背景技術】
【０００２】  従来、上水管洗浄システムは主にマンション等建造物の専有部（各戸量水器二次側）の給水枝管の洗浄が主目的であり、その方法として圧搾空気のパルスやジェット噴射による洗浄、高圧水洗浄及びオゾン水等を使用した洗浄方法が多く用いられている。最近改良された発明としては、例えば特許文献１の特許公開２００６−１７５４０５、発明の名称
「給水管洗浄における配管方法および給水管洗浄における配管装置」
においても紹介されているが、圧搾空気をポンプから如何にして水道メーターを迂回し可及的に水道メーター直後から給水枝管末端に向けて放射放出することに工夫がされているに過ぎず、量水器（前記では水道メーター）の一次側すなわち共用部についての言及記述はほとんどないばかりでなく示唆暗示も全く無い。
また各戸毎に装置を持ち込み洗浄範囲ごとに一々洗浄装置の取付け位置を変更して実施していた。そもそも専有部、共用部の別なく、上水管内壁の汚れ、ヌメリ、スケール等（以下、単に汚れ等と記す）の放置は著しく飲料水の水質低下を招くとともに、上水管の閉塞の原因にもなるだけでなく、マンション等の総合耐久性に著しい悪影響を及ぼす最も重要な要素の一つである。【０００３】  しかし現実は、建築後の経年絶対年数のみで判断して上水管の延命工事や取替工事という大掛かりで極めて出費の嵩む方策を採ることが、全ての問題解決の方法と考えられ、それのみが行われて来た。たとえば、下水排水鉄管の寿命は建築後２５年位で取替工事や延命工事が実施されているが、実際に撤去した鉄管の断面を良く観察すると、鉄錆による腐食は軽微であるにも拘らず、付着したごみやヌメリ等の沈殿堆積により内径５０ｍｍの鉄管内が通水可能な空間の直径が僅か１０ｍｍ以下にまで閉塞していることが見受けられる。如何に定期的な洗浄が上水管等の適正な保守維持管理に必要でかつ効果的かが、理論のみでなく実例からも窺い知ることができる。  然しながら、現時点では上水管洗浄はその必要性の認識が希薄であり、技術的には短時間で且つ日常生活への影響が軽微な洗浄作業と言う条件を満たすことに難しさがあることから定期洗浄はほとんど実施されていない。
【特許文献１】  特許公開２００６−１７５４０５号公報
【発明の開示】
【発明が解決しようとする課題】
【０００４】  この事実に鑑み、上水管についても汚れ、ヌメリ、スケール等が発生し、付着、沈殿堆積する前に定期的に洗浄して適正な保守維持管理を行うことが必要不可欠であり、これの実行実施により解決される問題が多く含まれている。
本発明は、従来の技法では解決し得なかった上記問題を解決すべく、上水管洗浄を所要頻度で（例えば５年毎の定期に）、適正に繰返して継続実施するシステムに係る装置と方法であり、マンション等の専有部に限らず敢えて積極的に共用部の上水管の汚れ、ヌメリ、スケール等（以下、単に汚れ等と記す）の発生とそれらの付着、沈殿、堆積を防止することで酸化腐食を遅らせることを可能にする為の、安価且つ短時間作業で繰返し継続的な上水管洗浄を為しえる効果的な上水管洗浄システムに係る装置と方法の提供を目的とする。
【課題を解決するための手段】
【０００５】  本発明は、所要の圧力と速度の圧搾空気を発生出力する空気圧縮機の圧搾空気出力を入力とし、仕切り弁、逆流防止弁及び圧力計を備えた複数の出力口を有しこれら全出力口に均等圧力の圧搾空気を供給出力する均等圧搾空気分配機であって、この出力を気密耐水耐圧性の接続ホースにより給水管末端等に接続して圧搾空気の泡沫を上水管内に注入浮上させることにより上水管内壁を洗浄する上水管洗浄システムを構成することを特徴とする上水管洗浄装置、及びこの装置に適正な洗浄液を使用したり上水管接続系統の仕切り弁の適正な操作の組合せと順番で高効果、効率的な洗浄結果を得られる上水管洗浄方法である。【０００６】  本発明に係る発展改良形の上水管洗浄システム概略は、水槽等に所要濃度と適量の洗浄液を作製する予備作業後、上水管内に洗浄溶液を注入して拡散浸潤浸透させる工程（予備洗浄）、最下層階等の給水縦系統管の末端にあるドレイン等（以下、上水管末端等と記す）から、仕切り弁、逆流防止弁、及び圧力計等を備えた均等圧搾空気分配機（以下、分配機と記す）の出力口から所要圧力と速度の圧搾空気の泡沫を所要時間に亘り注入供給して浮上放出させる工程（ブロー洗浄、或いはパルス洗浄）によりブラシや束子で摩擦摺動したように上水管内壁に付着した汚れ等の異物を溶解溶融し遊離剥離して最後に給水管末端等からこれら汚れ等を溶存混合した水道水の洗浄排水として流放出することを特徴とする上水管洗浄システムに係る装置と方法であり上記上水管末端を適宜選択することにより洗浄対象範囲を任意に選択指定できる単純簡単でありながら極めて高効率のシステムである。【０００７】  （システムの機械的構成）  本発明は上水道の供給方式が加圧式や直結式にも適用されるが、最も普遍的な屋上等に給水槽を設置した高架水槽式について図を用いて説明する。本発明は以下のように構成組成され実施されて行く。
図１はマンション等の高架水槽式給水方式に本発明の上水管洗浄システムを適用した場合の圧搾空気と給水系の一部省略した接続系統の概略ブロック図である。図において、１はマンション屋上等の高架に設置された上水を貯留する高架水槽であり、内部を掃除洗浄した時の不要排水を排出するドレインＤ０、槽内に貯留された飲料水の上水道水を重力を利用して下方の各階へ供給する仕切り弁Ｖ０と地震や台風等による強力振動揺動を吸収して変形損傷を回避するためのフレキシブルジョイントＦＪＦを備えた給水縦主管ＦＭＰを有している。２は、仕切り弁Ｖ１，Ｖ２〜Ｖｎを通じて接続系統Ｋ１，Ｋ２〜Ｋｎの各給水縦系統管に水道水を分岐配分する給水横主管である。３は給水縦系統管群であって接続系統Ｋ１、Ｋ２〜Ｋｎに対応した仕切り弁Ｖ１，Ｖ２〜ＶｎとＶ１０，Ｖ２０〜Ｖｎ０、量水器Ｍの両側の伸縮継ぎ手Ｊ１Ｐ，Ｊ１Ｓ、Ｊ２Ｐ，Ｊ２Ｓ〜ＪｎＰ，ＪｎＳ、そしてドレインＤ１，Ｄ２〜Ｄｎを各々持つ給水縦系統管ＦＰ１，ＦＰ２〜ＦＰｎから成る。
４は揚水管ＵＰでフレキシブルジョイントＦＪＵ、逆流を防止する逆止弁Ｂ０、仕切り弁ＶＵ０、フレキシブルジョイントＦＪＴ及び掃除洗浄時に異物、不要排水を排出するドレインＤＵを備え揚水ポンプＰと高架水槽１とを接続し受水槽５の上水道水を高架水槽１に揚水供給する。５は水道本管からの水道水を貯留して常時揚水ポンプＰに供給待機する受水槽、６は所要圧力と速度の圧搾空気を発生送出する空気圧縮機であり、耐圧ホースＨ１〜Ｈｎと分配器７を介し上水管末端等ＩＴに均等圧力圧搾空気ＡＢを注入供給する。【０００８】  ７は均等圧力圧搾空気分配機（以下、単に分配機と記す）で、仕切り弁ＶＡ０を介し空気圧縮機６から圧搾空気出力を仕切り弁ＶＡ０を介し取り入れ、均等圧力圧搾空気として系統出力口Ｋ１０，Ｋ２０〜Ｋｎ０を通じ上水管末端等ＩＴに出力し圧搾空気の泡沫ＡＢを注入送出する。系統出力口Ｋ１０は、耐圧ホースＨ１を介して仕切り弁ＶＡ１，逆流を防止する逆止弁Ｂ１、圧力計Ｇ１を備え、Ｋ２０は仕切り弁ＶＡ２，逆止弁Ｂ２，圧力計Ｇ２を備え同様に出力系統Ｋｎ０は仕切り弁ＶＡｎ，逆止弁Ｂｎ，圧力計Ｇｎを有する。
系統出力口Ｋ１０，Ｋ２０〜Ｋｎ０は、各々カプラＣＰを備えており、気密耐水耐圧性を持つ耐圧ホースＨ１，Ｈ２〜Ｈｎを介し各接続系統の上水管末端等ＩＴ（以下、単に注入端と記す。）に接続される。
これら耐圧ホースＨ１、Ｈ２〜Ｈｎは、軟質塩化ビニル等の素材から成る口径２０ｍｍ長さ５ｍ程の着脱自在に不図示のカプラＣＰを用い延長接続が可能で、両端に出力端ＨＣと入力端ＨＥを持つ。例えば、耐圧ホースＨ２の出力端Ｈ２Ｃは変換アダプタＣＡで注入端ＩＴに接続され、入力端Ｈ２Ｅは系統出力口Ｋ２０から圧搾空気の供給を受け、或いは洗浄後に系統出力口Ｋ２０から外しマンホール等に向けて洗浄後排水を排水放流する。【０００９】  ８は給水枝管群であり、例示によれば、接続系統Ｋ２に係る給水縦系統管ＦＰ２から各戸の専有部に向かって上水道水を供給しており、Ｖ２０，Ｖ２１は仕切り弁、Ｍは量水器、Ｊ２Ｐ，Ｊ２Ｓは各々量水器Ｍの一次側及び二次側の量水器伸縮継ぎ手、Ｖ２Ｌは専有部末端の蛇口等の水栓器具を表す。ＩＴは圧搾空気の泡沫ＡＢを上水管に注入供給する位置を示す注入端である。Ｄ２は、給水縦系統管ＦＰ２の末端に備え掃除洗浄時に異物排水を排出するドレインであるが物件により装備されていない場合もある。なお耐圧ホースＨの両端の出力端ＨＣ、入力端ＨＥは互いに着脱自在に気密耐水耐圧に接続延長できるように適宜工夫してある。【００１０】  また不図示の変換アダプタＣＡは、ホースＨ２の出力端Ｈ２Ｃと注入端ＩＴとの間に介在しその接続を簡便容易にするための接続介在道具であり、一端にはホースＨ２の出力端Ｈ２Ｃとの結合を容易にするカプラＣＰを有し他端には注入端ＩＴに接合するに適切な所要の種類と大きさの伸縮継ぎ手を備えた予め用意された数種類の接続介在継ぎ手である。ＳＷＧは必要に応じて、分配機７内の適切な位置に配置して均等圧力圧搾空気に所要の超音波振動を印加して、或いは系統出力口Ｋ１０〜Ｋｎ０に備えて洗浄溶液に超音波振動を透過伝達させる為の電歪素子等からなる超音波発生器であり、この上水管洗浄システムに装備すれば洗浄効果をなお向上させることができる。【００１１】  （予備作業）
（１）先ず、揚水管ＵＰの揚水ポンプＰを止め、仕切り弁ＶＵ０を閉じ給水縦主管ＦＭＰの仕切り弁Ｖ０を閉じ、高架水槽１の水位ＬＵ、ＬＦをドレインＤ０を利用して適量に下げた後、ドレインＤ０を閉じて、高架水槽内１に残った水道水内にクエン酸等の洗浄剤を撒布攪拌し所要濃度と適量の洗浄液ＣＬを作製する。
圧縮機６と分配機７を耐圧ホースＨで接続し、分配機７の各系統出力口Ｋ１０〜Ｋｎ０を各接続系統Ｋ１〜Ｋｎに対応する各々の注入端ＩＴに変換アダプタＣＡを介して耐圧ホースＨ１〜Ｈｎにより接続する。この際に洗浄前の通常水道水サンプルＳ０を採取してから不図示のクリップＣ等で耐圧ホースＨ１〜Ｈｎを一旦、閉塞して置く。
なお、高架水槽１の代わりに受水槽５内で洗浄液ＣＬを作製し揚水管ＵＰで高架水槽１に供給しても良い。  高架水槽１が無いため、受水槽５内で作製する場合も有る。
（２）説明の共通化の都合上注入端ＩＴにドレインＤ２を選択したものとして、以下説明を続けるが、具体例としてドレインを設けていない物件も有るので、注入端ＩＴの位置として量水器Ｍの一次側仕切り弁Ｊ２Ｐを選んだ例を図示してある。洗浄対象部位範囲を共用部に限定する場合は、専有部に全く影響を与えないようにするため全階各戸の量水器Ｍの一次側仕切り弁Ｖ１０、Ｖ２０〜Ｖｎ０を閉じて置く。
（３）ここで接続関係を確認後、給水縦主管ＦＭＰの仕切り弁Ｖ０を開放した後、各々の接続系統の注入端ＩＴにおいて、例えば、系統出力口Ｋ２０から耐圧ホースＨ２の入力端Ｈ２Ｅを取外した後、前記クリップＣ等を取外すことで給水縦系統管ＦＰ２に係る耐圧ホースＨ２の閉塞を解除して、これにより接続系統の給水縦系統管ＦＰ２内に残留していた水道水の６０％程度を排水放流する。
この時点で流出してきた水溶液は、高架水槽１内の洗浄液ＣＬと同程度に近い濃度であるので洗浄溶液の洗浄前サンプルＳ２０として採取してから、接続を復元して置く。【００１２】  （予備洗浄）
上記作業工程により、給水縦主管ＦＭＰ、給水横主管ＤＰ、給水縦系統管群３、給水枝管群８及び揚水管ＵＰ（以下、単に上水管と総称する）内の共用部或いは専有部の選択された洗浄対象部位範囲に洗浄液ＣＬを高架水槽１から注入し沈降下、拡散充填し上水管内に洗浄溶液を浸透浸潤させる。その後、所要時間放置することで汚れ等の異物を溶解溶融、遊離剥離させる効能があり、後工程のブロー洗浄、パルス洗浄をより効果的にする。
この時点で洗浄溶液の予備洗浄後サンプルＳ２１として採取する。因みに５階建ての給水縦系統管１本の容量は約１５リットル程度で、所要洗浄液量を概算することができる。
なお、図示してはいないが高架水槽１底部の全面に残っている洗浄液ＣＬが給水縦主管ＦＭＰの最上端部ＴＰを完全に覆い被さらないよう、ドレインＤ０を利用し洗浄液ＣＬを排出し最上端部ＴＰを大気に曝してそこにかかる圧力を大気圧にしておく必要がある。注入端ＩＴにかかる圧力を想定内に収めるためである。【００１３】  （ブロー洗浄）
次に空気圧搾機６を運転開始して、分配器７の複数接続系統の仕切り弁ＶＡ１〜ＶＡｎを各々所要程度に開放し注入端ＩＴから圧搾空気の泡沫ＡＢを上水管内に注入浮上することにより、所要時間かけて連続的に洗浄溶液を揺り動かし圧搾空気の泡沫ＡＢの移動摺動摩擦で上水管内壁を洗浄する。ブロー洗浄後の洗浄溶液サンプルＳ２Ｂの採取。【００１４】  （パルス洗浄）
特定の一の接続系統に限定して、例えば仕切り弁ＶＡ２を大きな開放度で瞬間的に短時間だけ注入端ＩＴより、圧搾空気ＡＢの衝撃波を断続的に且つ強弱をつけ所要時間、所要回数、頻度、噴射注入することにより、洗浄溶液を強烈に押上げ、戻る降下反動を利用しブラシや束子の往復摺動で摩擦する様に上水管内壁を集中的に強化洗浄する。ここで圧縮機６の容量能力に応じて、同時に洗浄する接続系統数の上限が決まり、ひとつの接続系統に対するパルス洗浄の噴射能力も自ずと限定される。揚水管ＵＰの洗浄の場合は全給水縦系統管ＦＰ１〜ＦＰｎの相応分の容量能力が必要で単独扱いになろう。
パルス洗浄後の洗浄溶液サンプルＳ２Ｐの採取。【００１５】  （専有部の特例）ブロー洗浄及びパルス洗浄において、専有部の強化洗浄する場合は、給水縦主管ＦＭＰの仕切り弁Ｖ０、或いは選択指定された接続系統対応の給水横主管仕切り弁Ｖ１〜Ｖｎのいずれかを閉じておき、選択された各戸の蛇口等の水栓器具Ｖ２Ｌを適度に開き、そこから圧搾空気の泡沫ＡＢを解放し放出させる。【００１６】  （洗浄液と所要時間）
（１）ヌメリの主な成分をみると水酸化鉄や微生物、雑菌の死骸等であるので、汚れ、ヌメリ、スケール等を溶解する洗浄液としては、生理衛生上安全無害な水溶液として重量比で２％〜５％程度のクエン酸や酢酸、重曹等の水溶液を使用し、その必要な水溶液量は必要とする洗浄対象部位範囲の全上水管容積の約２〜３倍程度が便利である。余剰の洗浄液はドレインＤ０から排出すれば良い。
（２）洗浄時間は、長いほど効果は上がるが飽和限界もあり実用上、経済的には短いほど良く、季節の水温により変動するが夏場は各１時間程度が効果的である。濃度も１０％以上にしても上がる効果よりは、純水道水による仕上げ洗浄等の後処理に手間隙、費用が嵩むだけであり、上水管の水温、汚れ具合や洗浄部位範囲により適宜工夫すれば良い。【００１７】  （現象作用）高架給水槽１などの給水タンクから注入した洗浄液ＣＬは、上水管を構成する給水縦主管ＦＭＰ、給水横主管ＤＰ、給水縦系統管ＦＰ１〜ＦＰｎ、給水枝管８、或いは揚水管ＵＰ内に拡散浸潤浸透しその内壁を閏かすので、所要時間（汚れ状況や水温により異なるが１時間程度）経過すると、上水管内壁に付着した汚れ等を洗浄溶液内に溶解溶融、遊離剥離する。  その後、注入端ＩＴから所要の圧搾空気の泡沫ＡＢを注入し浮上放出すると、圧搾空気の泡沫の破裂音による衝撃振動、浮上上昇移動摺動による摩擦作用により洗浄効果は更に促進される。
この作用効果の程度は洗浄作業の前後で、目視や内視鏡により上水管内壁の色や濁度の差異、洗浄水溶液の透明度、比重や溶解物質の含有成分比率の比較で容易に確認できる。
【発明の効果】
【００１８】  本発明をマンション等に適用した場合、大掛かりな工事や複雑高価な装置や設備を必要とすること無く上水管の定期洗浄ができ、上水管内壁の汚れ等の付着防止に絶大な効果を発揮する。また数段階の作業工程で各階各戸毎に洗浄装置を移動する手間や洗浄範囲毎に耐圧ホースを接続し直す必要がなく洗浄が行え、さらに貯水槽清掃と上水管洗浄とを同期するように実施することで更なる大幅な人件費の削減が可能等作業効率を極限まで高められた。トラブル予防については、各段階で作業目的の達成度合を確認することによる過度な洗浄による錆詰りや穴あき等の減少で図れた。この上水管洗浄システムによれば、従来ただ絶対経年数を目安に高額な費用を掛けていた上水管の延命工事や取替工事を大幅に遅らせることが可能であり極めて安い洗浄維持費で建造物の総合耐久年数を大幅に改善し、奏する効果は極めて顕著である。  二次的な効果として定期的な洗浄時その時点の配管の劣化状況が確認できその資料が改修工事等の時期と方法を検討する際の指標になる。
【発明を実施するための最良の形態】
【実施例１】
【００１９】  （洗浄部位範囲の選択指定）
（共用部）マンションの場合、洗浄対象の上水管は高架水槽１からの給水縦主管ＦＭＰ、給水横主管ＤＰ、給水系統管の各戸量水器Ｍ一次側の仕切り弁Ｖｎ０までを洗浄対象範囲とするので仕切り弁Ｖ１０〜Ｖｎ０を閉じて対象を特定する。揚水管ＵＰを洗浄する場合は揚水管ＤＰの底部のドレインＤＵ、或いは仕切り弁ＶＵ０、逆流防止弁ＶＵ０等を取り外してここを注入端ＩＴとして、分配機７からの耐圧ホースＨを接続することにより、その位置から高架水槽１までを洗浄対象部位範囲とすることができる。【００２０】（専有部）マンションの場合、共用部及び専有部の双方を洗浄する場合は仕切り弁Ｖ１０〜Ｖｎ０を開放することで専有部の給水枝管８において接続する各水栓器具までを洗浄対象範囲として予備洗浄することができる。なお、洗浄後の水溶液をＶ２Ｌから排出する場合は完了順番を最上階から階下へと進捗するのが望ましい。また、共用部の洗浄時に注入端ＩＴとして量水器Ｍ一次側の伸縮継ぎ手Ｊ２Ｐに変換アダプタＣＡの出力端を接続していた場合は、その対応する専有部を洗浄対象とする為には変換アダプタＣＡの出力端を量水器Ｍの二次側の伸縮継ぎ手Ｊ２Ｓに接続し直すことになる。【００２１】  （内視鏡観察とパルス洗浄）洗浄前後に行う内視鏡観察は配管内面の洗浄作用の効果確認を目的とする作業であり、予備洗浄、ブロー洗浄で十分に目的を達成したと予測される場合は、内視鏡を用いてその確認を行い、効果が少ないと判断された接続系統のみに絞って、分配機７の出力口仕切り弁の開放度、開放時間、繰り返し周期を適度に定め前述の通りパルス洗浄（所要の圧力と速度）を行う。【００２２】  （共振周波数）なお、圧搾空気の圧力、噴出速度、噴出時間、パルスの繰返し周期によってはビル全体的に相応の物理機械的振動が発生することも考えられるので、ビル固有の固有振動数に共振しないように注意する必要がある。【００２３】  （水質検査）上水管の汚れである雑菌の死骸等は、作業後は減少することが通常であり、水質検査は作業結果を確認する目的と飲料水としての適正が保たれているかの確認を数値上で確認する為に実施する。前述のように各洗浄作業工程において採取したサンプルＳ０、Ｓ２０，Ｓ２１、Ｓ２Ｂ、Ｓ２Ｐを洗浄効果評価、水質検査の確認、及び以後の保守維持管理の参考にする。
【実施例２】
【００２４】  （実施対象）以上の説明は、主に高架水槽方式（屋上給水槽）を例示したが、加圧給水方式、直結給水方式に対しても適用可能であり、以下のように工夫すればよい。【００２５】  （加圧給水方式）については、たとえば受水槽５で予備作業（洗浄液ＣＬの作製）を行い、加圧ポンプで上水管（給水縦主管ＦＭＰ）に供給送水する方法が適用できる。【００２６】  （直結給水方式）の場合は、別途用意する水槽で予備作業を行い、フレキシブルジョイントＦＪＵ等を外し、適切な変換アダプタＣＡを介して分配機７からの耐圧ホースＨ１〜Ｈｎを接続することで分配器７の出力によるブロー洗浄或いはパルス洗浄が可能であり、高架水槽方式と同様の作業が行える。
なお、配管ルートにより、配管端末が最上階になる場合があり、その場合は洗浄液ＣＬの注入拡散、洗浄後の排水抜き取り作業はその箇所から行うことができる。【００２７】  （専有部）については、注入端ＩＴとしてドレインＤ２を選択できない場合には各戸量水器Ｍの二次側の伸縮継ぎ手Ｊ２Ｓに変換アダプタＣＡを介し気密耐水耐圧性のある耐圧ホースＨ２を接続し、分配機７の出力を系統出力口Ｋ２０から給水枝管８に送出供給して各水栓器具を開閉することで洗浄溶液を配管に充填（予備洗浄）することができる。
ブロー洗浄、パルス洗浄の段階は、注入された圧搾空気泡沫ＡＢの上水管外への脱出口として水栓器具Ｖ２Ｌを選び、その適度な開放度及び開放時間で洗浄作業を効率的に行う。
【産業上の利用可能性】
【００２８】  本発明によれば、高価な装置や大掛かりな道具を必要とせず、簡単に作業が行え極めて実用的であり、しかも数回の極秘実験で完全に所期の成果を挙げた。また、現在、貯水槽の維持管理については、「建築物における衛生的環境の確保に関する法律」で年１回の清掃が義務付けられ定期的に実施されているが、この発明により上水管定期洗浄が普遍化一般化され、更に将来の法制化に繋げるべく偉大な貢献ができると確信している。
【図面の簡単な説明】
【００２９】
【図１】  本発明の上水管と圧搾空気の接続系統を示すシステムブロック図
【符号の説明】
【００３０】    １  高架水槽        洗浄液ＣＬ、ドレインＤ０、仕切り弁Ｖ０、給水縦主管ＦＭＰ
２  給水横主管ＤＰ  接続系統Ｋ１，Ｋ２〜Ｋｎ、仕切り弁Ｖ１，Ｖ２〜Ｖｎ
３  給水縦系統管群  給水縦系統管ＦＰ１，ＦＰ２〜ＦＰｎ、ドレインＤ２
４  揚水管ＵＰ      仕切り弁ＶＵ０、逆止弁Ｂ０、揚水ポンプＰ、ドレインＤＵ、                        フレキシブルジョイントＦＪＵ
５  受水槽
６  空気圧縮機
７  空気分配機    仕切り弁ＶＡ１〜ｎ、逆止弁Ｂ１〜ｎ、圧力計Ｇ１〜ｎ
接続系統出力口Ｋ１０〜ｎ０、超音波発生器ＳＷＧ、カプラＣＰ
８  給水枝管群    注入端ＩＴ、量水器Ｍ、一次、二次側伸縮継ぎ手Ｊ２Ｐ、Ｊ２Ｓ                      仕切り弁Ｖ２０、Ｖ２１、水栓器具Ｖ２Ｌ
変換アダプタＣＡ、耐圧ホースＨ２、入力端Ｈ２Ｅ、出力端Ｈ２Ｃ
【図１】
2008136991.tif 000003